(57)【要約】【課題】  ふん尿散布に伴う悪臭を防止し、良質な牧草等を育成できるよう土の掘削深度を大きくする。【解決手段】  ディスク１４と排出インジェクタ１６との間に、ディスクが切り開いた溝まわりの土を掻き出すトレース歯１５を配設するとともに、排出インジェクタの後方に、ディスクが切り開いた溝まわりの土を転圧するローラ１７を配設する（請求項１）。トレース歯１５により、ディスクによる掘削深度が深くなっても溝のなかに残存する土を溝外に排除することが出来る。家畜ふん尿が投入された溝まわりの土は、ローラ１７によって転圧され埋め戻される。溝の家畜ふん尿には土による蓋がなされ、見た目の悪さも悪臭も改善される。【選択図】    図１
2008109886.tif 000002
【特許請求の範囲】
【請求項１】
トラクタに牽引され、バキュームカーに格納された家畜ふん尿を土壌に形成した溝に散布する装置であって、溝を切り開くディスクと、当該ディスクの後方に配した家畜ふん尿の排出インジェクタとを備える家畜ふん尿の散布装置において、
ディスクと排出インジェクタとの間に、ディスクが切り開いた溝まわりの土を掻き出すトレース歯を配設するとともに、
排出インジェクタの後方に、ディスクが切り開いた溝まわりの土を転圧するローラを配設したことを特徴とする家畜ふん尿の散布装置。
【発明の詳細な説明】
【技術分野】
【０００１】
本発明は、家畜ふん尿を牧草地や畑に散布する散布装置に係り、とくに土への散布状態を改善するための機械構造に関する。
【背景技術】
【０００２】
牛馬のふん尿を、牧草地に散布して牧草の肥料としたり、畑に散布して土壌堆肥とすることは従来から行われている。
【０００３】
図９は、このようなふん尿散布装置の従来例を示すものである。１は、牽引車両であるトラクタ、２は、家畜ふん尿を格納したバキュームカー、３は、バキュームカーの後ろに連結したふん尿の散布装置である。
【０００４】
従来の散布装置３は、牧草地や畑などの土壌の表面に溝を形成するための円盤状のディスク５と、ふん尿の排出インジェクタ６とを備える。ふん尿の排出インジェクタ６は、ディスク５の後ろに配し、ディスク５が切り開いた溝の中に家畜ふん尿を適宜流量で排出する。なお、散布する家畜ふん尿は、一般には水分含有率が高い状態のもの、つまり排出インジェクタ６から噴出させやすい状態のものである。ふんの成分を除いた尿だけを散布することもある。
【特許文献１】なし
【発明の開示】
【発明が解決しようとする課題】
【０００５】
従来装置の最も大きな問題は、ふん尿散布後の悪臭であった。従来の散布装置は、ディスク５で切り開いた溝に家畜ふん尿を流し込むだけなので、ふん尿の悪臭がそのまま外気に放出される。ふん尿の成分が変化する一定の日数を経ないと問題は解消されなかった。
【０００６】
また、従来の散布装置は、産業廃棄物である家畜ふん尿を牧草地や畑に戻して有効利用しようとする点は着目すべきであるが、ディスク５によって掘削する土の深度が浅く、草の根を完全に切断するには至っていない。土の掘削深度が浅いと、草の根がそのまま残存する。その結果、散布した家畜ふん尿の堆肥効果が期待したとおりの結果をもたらさないという問題が指摘されている。
【０００７】
天然の堆肥を与えることによって良好な牧草等を生育させるには、数年に一度、好ましくは毎年のように草の根を切断することが望ましい。従来の散布装置は、草の根をカットせずに浅い深度で溝を作り、そこに家畜ふん尿を散布していたため期待されるような牧草等の生育改善がみられなかった。
【０００８】
そこで、本発明の目的は、ふん尿散布に伴う悪臭を防止するとともに、良質な牧草等を育成できるよう土の掘削深度を大きくする点にある。
【課題を解決するための手段】
【０００９】
前記目的を達成して、課題を解決するため、本発明に係る家畜ふん尿の散布装置は、ディスクと排出インジェクタとの間に、ディスクが切り開いた溝まわりの土を掻き出すトレース歯を配設するとともに、排出インジェクタの後方に、ディスクが切り開いた溝まわりの土を転圧するローラを配設する（請求項１）。
【００１０】
この家畜ふん尿の散布装置は、溝を切り開くディスクの直近背後に溝まわりの溝のなかに残った土を掻き出すトレース歯を設けたので、ディスクによる掘削深度が深くなっても溝のなかに残存する土を確実に溝の外に排除することが出来る。深い深度でディスクが掘削してゆくと、地中内でカットされた草根も溝の中に残りやすいが、トレース歯によって土とともに溝の外に排除される。
【００１１】
また、排出インジェクタの後方にローラを設けてある。家畜ふん尿が投入された溝まわりの土は、このローラによって転圧され埋め戻される。これにより、溝の中の家畜ふん尿には土による蓋がなされ、見た目の悪さも悪臭も格段に改善される。
【発明の効果】
【００１２】
本発明に係る家畜ふん尿の散布装置によれば、ローラによって土の埋め戻しを行うのでふん尿散布に伴う悪臭を防止できる。また、トレース歯によって溝の成形を確実にさせ、草の根も溝の外に排除できるので、深い深度で土を掘削することが出来る。地中の深いところにある草の根をディスクによってカットしても、溝の中に草の根が残ることもないし、溝が浅くなることもなく、深く掘った溝のなかに家畜ふん尿を確実に散布して良質な牧草等を育成することが出来る。
【発明を実施するための最良の形態】
【００１３】
図１は、本発明に係る家畜ふん尿の散布装置の一実施形態を示すものである。この散布装置１０は、例えば、トラクタ１の直近後方に連結する。バキュームカー２は、この散布装置１０の後方に連結する。
【００１４】
バキュームカー２を最後尾とするのは、トラクタ１の運転者が、その直近後方に連結した散布装置１０の作動状態を視認しやすいようにするためである。
【００１５】
家畜ふん尿を格納しているバキュームカー２は、適宜位置に設けてある排出口８からホース９を介して家畜ふん尿を散布装置１０の分配機１１に送り込む。このときの送出圧力の調整は、バキュームカー２または分配機１１に設けたポンプ（図示せず）によって行うことが出来る。
【００１６】
散布装置１０は、図２にも示すように、トラクタ１による牽引方向の最前位置にディスク１４を備え、その直近後方にトレース歯１５を配し、このトレース歯１５の直近後方に家畜ふん尿の排出インジェクタ１６を設け、その後方にローラ１７を設けてある。これらは直線整列させて配置する。
【００１７】
この散布装置１０は、例えば図３に示すように、トラクタ１の後方に連結した三点ヒッチから左右に開拡させたアーム１２に複数個を取り付けてある。バキュームカー２は、例えばトラクタの牽引ヒッチに連結して牽引する。バキュームカー２から分配機１１に送り込まれた家畜ふん尿は、ホース９（図１参照）を介して各散布装置１０の排出インジェクタ１６に送り込む。排出インジェクタ１６から外部に放出する家畜ふん尿の量は、例えば、分配機１１で調整する。
【００１８】
つぎに、各部の構成を説明する。
【００１９】
ディスク１４は、トラクタ１による牽引に伴って自由回転し、土壌を掘りながら前進する。
【００２０】
このディスク１４は、例えば図４に示すように、先端１４−１が鋭利で、中心に向かって断面がわずかに開拡する切り羽１４−２をもつ。１４−３は、掘削する土壌表面を広げて大きな開口を作る表面掘削部である。ディスク１４の中央部１４−４は平板を用いてもかまわない。中央部１４−４は、土壌の掘削に関与しないからである。
【００２１】
ディスク１４による土壌の掘削は、左右幅を広げてある表面掘削部１４−３を使用する深度で行うことが望ましい。表面掘削部１４−３の左右幅は、例えば３〜４ｃｍとすることが好ましい。掘削深度Ｈは、例えば５〜１０ｃｍとする。この程度の深さにディスク１４の先端１４−１が入り込めば、ほぼ確実に草根を切断することが出来る。
【００２２】
ディスク１４の直近後方に配するトレース歯１５は、ディスク１４が掘削した溝穴を押し広げる。図５に示すように、ディスク１４の回転によって土壌表面には溝穴Ｐができるが、掘削された土Ｄはもろく、また草根も溝穴Ｐに残ることが多い。トレース歯１５は、溝穴Ｐの中に残った土や草を溝外に掻き出すものである。
【００２３】
トレース歯１５は、好ましくは、ディスク１４の歯（１４−１、１４−２、１４−３）と同程度の左右幅をもたせた一枚歯、または若干幅広の一枚歯を用いる。くま手や農業用フォークのように複数の歯とする必要はない。土中への深度は、ディスク１４と略同一に設定することが望ましい。形状は、先端鋭利で上方に向かってわずかに開拡する板であって、表面にディスク１４と略同一の曲率をもたせたものを使用することが望ましい。ディスク１４と対向する面を湾曲させておくと、トレース時に草の根を溝外に効果的に排出できる。
【００２４】
排出インジェクタ１６は、図６に示すように、溝穴Ｐのなかに家畜ふん尿Ｒを充填する。排出インジェクタ１６は、従来公知のものを使用できる。
【００２５】
排出インジェクタ１６の後方に設けるローラ１７は、図７に示すように、溝穴Ｐを作るときに土壌表面に掻き出された土や草根を押しつぶし、図８に示すように、溝穴Ｐの開口に蓋を形成するものである。
【００２６】
このローラ１７は、コイルバネ等を用いて凹凸に対して柔軟に上下動できる構成としておくことが望ましい。バネを用いなくても、ローラ１７を上下動可能としておけばローラ１７自身の重量で土壌表面の土や草根を転圧できる。バネを利用すると土や草根の目詰まりに起因する上下動の悪さを回避できる利点がある。ローラ１７の幅は、土壌表面に掻き出された土や草根を転圧できるよう溝穴Ｐの開口よりも幅広に設定する。
【００２７】
従って、かかる散布装置１０によれば、ディスク１４とトレース歯１５によって溝穴Ｐを掘削するので、従来よりも土中を深く掘って草の根をカットしてゆくことが出来、良質な牧草等を育成できる土壌環境を作り出すことが出来る。
【００２８】
また、家畜ふん尿Ｒを溝穴Ｐに充填した後、ローラ１７によっての土を転圧し、溝穴Ｐの表面開口に土の蓋を形成することが出来るから、ふん尿を土壌内に封じ込め悪臭の放出を防止することが出来る。見た目の悪さも改善できる。
【００２９】
溝穴Ｐを深く成形できることに起因して、単位面積あたりのふん尿の充填量が増加する。これにより、産業廃棄物として処分せざるを得なかった家畜ふん尿を土壌の改良材として有効に活用することが可能となる、という利点も生まれる。
【００３０】
なお、畑へ散布する場合は草の根がないため、ディスク１４による切削抵抗は少なく、トレース歯１５の大型化による切削も可能であり、ふん尿の施用量が多い場合においてもディスク１４の形状とトレース歯１５の形状を変化させることにより様々な現地に対応することが出来る。この場合は、トレース歯の幅をディスクの板厚よりも大きくしておくことが好ましい。牧草地の場合は、トレース歯１５の幅はディスク１４と略同一にして、トレース歯１５にかかる掘削抵抗を減らしておくことが望ましい。牧草の根があるからである。
【００３１】
本発明に係る家畜ふん尿の散布装置は、以上の実施形態に限定されない。例えば、散布装置１０は従来と同様にバキュームカー２の後ろに連結してもよいことはもちろんである。
【００３２】
ディスク１４は、切削歯（１４−１、１４−２、１４−３）の断面形状を外周に向かって収縮させて示したが、断面を均一幅としても掘削は可能である。実用的には先端（外周端部）を鋭利にしておく方が効率がよい。ディスク１４は、少なくとも外周端部の切歯（１４−３）には剛性のある金属を用いることが望ましい。全体を金属で成形してもよい。
【００３３】
トレース歯１５は、ディスク１４による掘削で溝穴Ｐに残った土や草の根を掻き出すものであり、剛性を保つよう一個の金属歯とすることが望ましいが、複数本の金属棒を集合させた櫛歯状のものを用いても同様の効果を得る。櫛歯状にすると草の根がからみつくが、その状態で一個の金属歯と同様の効果を奏するため、使用できないものではない。ただし剛性の点やコストの点で一個の金属歯とした方が有利である。
【００３４】
トレース歯１５の表面形状（前進方向面の形状）は、湾曲している必要はない。ゆるやかなカーブを描いて湾曲させた方が草の根や土の排除効果は高いが、直線的であっても、中間適宜箇所を折曲させた略く字状のものであっても、土や草根の排出効果はあり、溝穴Ｐの形成に寄与する。
【００３５】
トレース歯１５は、上下動や左右動をしない固定物とすることが望ましいが、土中に硬いもの（例えば石）があるような箇所では、柔軟な上下動が出来るようコイルバネ等のバネ材やゴム等の弾性材を用いて凹凸変化に対応できるようにしても良い。
【００３６】
排出インジェクタ１６は、分配機１１から送られた家畜ふん尿を溝穴Ｐに充填するものであるから、排出開口はできるだけ低い位置に設けることが望ましい。作業現場となる牧草地や畑には多くの起伏があるため、土壌表面からわずかに高い位置（例えば１〜２ｃｍ）に設定しておくと、起伏やトレーラ１の牽引動作の急激な変化による土壌表面との衝突を避けることが出来る。
【００３７】
ローラ１７は、重量のある金属によって成形することが望ましい。しかしながら、コイルバネや板バネを利用して下方への押圧力を十分に高めると、軽量金属材や樹脂材を用いても土を転圧して溝穴Ｐに蓋を作ることは可能である。溝穴Ｐの開口を閉じる土の蓋は、強い力で押しつけた蓋である必要はなく、溝穴Ｐに充填された家畜ふん尿Ｒの悪臭の外部飛散を防止できる程度の、強度の弱いものでも十分に効果を発揮するからである。ローラ１７は、その底面が常に土壌表面に接触するよう、例えば、バネによって下方に附勢された回動アームに固定するか、スリットを介して上下動可能に配設する。
【００３８】
散布装置１０を取り付けるアーム１２は、適当箇所、例えば略中間位置で折り曲げ可能とし、コンパクトな状態で搬送できるようにすることが望ましい。前方部分を上方へ略垂直に折り曲げるだけでも十分な効果がある。
【図面の簡単な説明】
【００３９】
【図１】実施形態に係る散布装置の牽引状態を例示する図である。
【図２】図１の散布装置を拡大して示す側面図である。
【図３】図１の散布装置を例示する平面図である。
【図４】図１のディスクを拡大して示す図である。
【図５】図１の散布装置によって形成される溝穴を例示する図である。
【図６】図５の溝穴に家畜ふん尿を充填した状態を示す図である。
【図７】図５の溝穴をローラによって転圧する状態を示す図である。
【図８】図５の溝穴に土の蓋が形成された状態を示す図である。
【図９】従来の散布装置を例示する図である。
【符号の説明】
【００４０】
２  バキュームカー
８  排出口
９  ホース
１０  散布装置
１１  分配機
１２  アーム
１４  ディスク
１４−１  （ディスクの）先端
１４−２  （ディスクの）切り羽
１４−３  （ディスクの）表面掘削部
１４−４  （ディスクの）中央部
１５  トレース歯
１６  排出インジェクタ
１７  ローラ
Ｄ  （掘削された）土
Ｈ  掘削深度
Ｐ  溝穴
Ｒ  家畜ふん尿
【図１】
2008109886.tif 000003
【図２】
2008109886.tif 000004
【図３】
2008109886.tif 000005
【図４】
2008109886.tif 000006
【図５】
2008109886.tif 000007
【図６】
2008109886.tif 000008
【図７】
2008109886.tif 000009
【図８】
2008109886.tif 000010
【図９】
2008109886.tif 000011